(57)【特許請求の範囲】
【請求項１】
左右の支柱内に複数個のリンクを連結してなるリンク機構を備えて、そのリンク機構の終端リンクの終端部を前記支柱内に定点において回転自在に設けた第１の支軸に固着し、前記リンク機構の中間枢着点を前記支柱内に昇降自在に設けた第２の支軸に結合し、前記リンク機構の始端リンクの始端部を前記支柱内に定点において回転自在に設けた第３の支軸に枢着し、
前記第１の支軸を前記左右の支柱の互いに対向する面から外に突出させ、前記第２の支軸を前記左右の支柱の互いに対向する面に形成された縦長の案内溝に昇降自在に挿通するとともにその第２の支軸を前記左右の支柱の互いに対向する面から外に突出させて、各支軸の突出端に扉体の幅方向両端部に先端部を枢着された第１アーム及び第２アームの基端部をそれぞれ固着し、
前記扉体及び各アームの荷重による下向き回転モーメントを軽減するために前記各支柱内に前記リンク機構の中間枢着点に上向き付勢力を与えるバランス装置を備え、
前記第２の支軸の突出端に前記支柱の外面に取付けられる電動ユニットの作動ロッドを枢着するための構造を備えたことを特徴とする跳ね上げ式門扉。
【請求項２】
扉体が大型の場合は、小型の電動式跳ね上げ式門扉の場合に用いるのと同一パワーの電動ユニットを左右の支柱の外面に取付けて各電動ユニットの作動ロッドをそれぞれの支柱の互いに対向する面から突出された第２の支軸の突出端に枢着するとともに、左右いずれか一方の電動ユニットを駆動するためのスイッチの直接操作又は遠隔操作により制御回路から出力される制御信号を他方の電動ユニットに有線又は無線で与えるようにしたことを特徴とする請求項１に記載された跳ね上げ式門扉。
【発明の詳細な説明】
【０００１】
【発明の属する技術分野】
本発明は、跳ね上げ式門扉、さらに詳しくは、左右一対の支柱にアームの基端部を枢着し、そのアームの先端部を扉体に枢着し、前記扉体を前記アームを半径として地面付近に垂直状に支持する閉鎖位置から前記支柱の上方に水平状に支持する開放位置まで回動することにより開放するようにした門扉に関する。
【０００２】
【従来の技術】
跳ね上げ式門扉には、扉体に手で持上げ力を加えて扉体をアームを介して閉鎖位置から開放位置まで上方に回動し、また、開放位置に存する扉体の先端に、それから垂下する引き下げ部材に手で引き下げ力を加えて、アームを介して扉体を閉鎖位置まで下方に回動させる手動開閉式と、支柱に取付けられたモータ等の動力源により回動されるレバー等をアームに連結し、操作部のスイッチを操作して動力源を駆動させることにより、扉体をアームを介して閉鎖位置から開放位置まで上方に又は開放位置から閉鎖位置まで下方に回動させる電動開閉式とがある。なお、跳ね上げ式門扉には、一般的に、扉体及びアームの荷重による回転モーメントを軽減して、扉体の開閉に要する駆動力を小さくするため、アームに常に上向きの付勢力を加えるコイルバネ等又はコイルバネ等とガスダンパー等からなるバランス装置が支柱内に設けてある。
【０００３】
そして、従来の手動開閉式の跳ね上げ式門扉は、支柱内に前記バランス装置のみを取付けているが、電動開閉式の跳ね上げ式門扉は、前記バランス装置のほか、動力源及びこれにより回動されるレバーを、支柱内に取付けている。
【０００４】
また、従来は、間口の小さい車庫等に設置される小型の電動式跳ね上げ式門扉には、パワーが小さい電動ユニットを一方の支柱に取付けており、間口の大きい車庫等に設置される大型の電動式跳ね上げ式門扉の場合は、同じく一方の支柱にパワーが大きい電動ユニットを取付けていた。
【０００５】
【発明が解決しようとする課題】
上述のように、従来は、第一に、手動式跳ね上げ式門扉用と電動式跳ね上げ式門扉用の２種類の支柱を用意し、手動式を設置するか電動式を設置するかにより、支柱を選択して使用する必要があった。従って、従来は、支柱の製作及び在庫管理にコストと手間がかかり、さらに、手動式から電動式に又はその逆に変更することは、容易でなかった。
【０００６】
また、従来は、第二に、電動式跳ね上げ式門扉においては、支柱を大型の電動式跳ね上げ式門扉用か小型の電動式跳ね上げ式門扉用かをも識別する必要があるので、厳しい在庫管理が必要であるが、電動ユニットを取付けた支柱は、その外観のみでは、パワーの小さな電動ユニットを取付けたものか、パワーの大きな電動ユニットを取付けたものかを容易に識別できず、選択を間違う恐れがあった。
【０００７】
本発明は、上記の点に鑑みてなされたものであり、その第一の課題は、支柱を手動式跳ね上げ式門扉用と電動式跳ね上げ式門扉用とに区分する必要なしに使用することができ、従って、支柱の製作及び在庫管理にコストと手間がかからず、手動式から電動式に又はその逆に変更することが容易にできるようにすることにある。
【０００８】
また、第二の課題は、小型の電動式跳ね上げ式門扉用と大型の電動式跳ね上げ式門扉用とを識別する必要なしに同一の支柱及び同一のパワーの電動ユニットを用いることができるようにして、支柱及び電動ユニットの管理を簡素化することにある。
【０００９】
【課題を解決するための手段】
本発明は、上記第一の課題を解決するため、（ａ）左右の支柱内に複数個のリンクを連結してなるリンク機構を備えて、そのリンク機構の終端リンクの終端部を前記支柱内に定点において回転自在に設けた第１の支軸に固着し、前記リンク機構の中間枢着点を前記支柱内に昇降自在に設けた第２の支軸に結合し、前記リンク機構の始端リンクの始端部を前記支柱内に定点において回転自在に設けた第３の支軸に枢着し、（ｂ）前記第１の支軸を前記左右の支柱の互いに対向する面（以下、対向面という）から外に突出させ、前記第２の支軸を前記対向面に形成された縦長の案内溝に昇降自在に挿通するとともにその第２の支軸を前記対向面から外に突出させて、各支軸の突出端に扉体の幅方向両端部に先端部を枢着された第１アーム及び第２アームの基端部をそれぞれ固着し、（ｃ）前記扉体及び各アームの荷重による下向き回転モーメントを軽減するために前記各支柱内に前記リンク機構の中間枢着点に上向き付勢力を与えるバランス装置を備え、（ｄ）前記第２の支軸の突出端に前記支柱の外面に取付けられる電動ユニットの作動ロッドを枢着するための構造を備えたことを特徴としている。
【００１０】
上記構成により、手動式跳ね上げ式門扉を設置する場合は、電動ユニットを取付けない支柱を立設し、先端部を扉体に枢着した第１アーム及び第２アームの基端部をそれぞれ支柱の対向面に突出されている第１の支軸及び第２の支軸に固着又は枢着すればよい。門扉の開閉は、扉体に手で持ち上げ力を加え又は引き下げ力を加えることにより、行うことができる。
また、電動式跳ね上げ式門扉を設置する場合は、支柱の外側面に電動ユニットを取付け、その電動ユニットの作動ロッドを支柱の対向面に突出された第２の支軸に枢着すればよい。門扉の開閉は、電動ユニットを駆動するためのスイッチの直接操作又は遠隔操作により行うことができる。
【００１１】
また、本発明は、上記第二の課題を解決するため、大型の扉体を用いる電動式跳ね上げ式門扉の場合は、小型の電動式跳ね上げ式門扉の場合に用いるのと同一パワーの電動ユニットを左右の支柱の外面に取付けて各電動ユニットの作動ロッドをそれぞれの支柱の互いに対向する面から突出された第２の支軸の突出端に枢着するとともに、左右いずれか一方の電動ユニットを駆動するためのスイッチの直接操作又は遠隔操作により制御回路から出力される制御信号を他方の電動ユニットに有線又は無線で与えるようにしたことを特徴としている。
【００１２】
上記構成により、一方の電動ユニットのスイッチを直接操作又は遠隔操作することにより、左右の電動ユニットを同時に駆動して、門扉を開閉させることができる。
【００１３】
【発明の実施の形態】
次に、本発明の実施の形態について、図面に基づいて説明する。
図１は第１発明の基本的構成及びその作用を示す説明図、図２は第１発明を用いて構成された手動式跳ね上げ式門扉の扉体の幅方向中央における縦断面図、図３は図２の支柱の内部構造を示す断面図、図４は図２のＸ−Ｘ線に沿った断面図、図５は図２の手動式跳ね上げ式門扉の正面図、図６は同じく平面図である。
図７は第１発明を用いて構成された電動式跳ね上げ式門扉の扉体の幅方向中央における縦断面図、図８は図７のＹ−Ｙ線に沿った断面図、図９は図７の電動式跳ね上げ式門扉の正面図、図１０は同じく平面図である。
【００１４】
まず、第１発明の構成の概要を説明する。図１（ａ）は手動式跳ね上げ式門扉の一例Ａを、（ｃ）は電動式跳ね上げ式門扉の一例Ｂを、（ｂ）は電動ユニットの一例ＤＵをそれぞれ示す。（ａ）と（ｃ）の門扉の同一符号は同一の構成部材を示している。すなわち、手動式跳ね上げ式門扉Ａと電動式跳ね上げ式門扉Ｂは、いずれも、左右一対の支柱１に第１アーム２及び第２アーム３の基端部を枢着し、各アーム２，３の先端部を扉体４に枢着し、扉体４を実線で示すように地面付近に垂直状に支持する閉鎖位置Ｐｄから、鎖線で示すように第１アーム２の基端部を中心とし、第１アーム２を半径として支柱１の上方に水平状に支持する開放位置Ｐｕまで回動するように構成されている。
【００１５】
また、各支柱１の中には、左右各二つのアーム２，３及び扉体４の荷重による下向きの回転モーメントを軽減するため、第１アームに上向きの付勢力を常に与えるための既知のバランス装置１９（図３参照）が設けられている。バランス装置には、各種の構造のものを使用することができるが、ロッド１９１と、そのロッドに上向きの弾発力を与えるコイルバネ１９２又はコイルバネとガスダンパーからなるものが好ましい。そして、バランス装置の上向き付勢力を第１アーム２に伝達するために、複数個のリンクＬ１〜Ｌ４からなるリンク機構Ｌが支柱１内の上部に設けてあり、そのリンク機構の終端リンクＬ４の終端部が第１の支軸５に固着され、また、そのリンク機構の中間リンクの枢着点が第２の支軸６に枢着されている。第１の支軸５は、支柱の上端部付近の所定の位置に回転自在に支持され、第２の支軸６は、支柱の対向面に形成してある案内溝７に挿通され、その案内溝に沿って移動可能に保持されている。
【００１６】
このように、支柱１に対して定点で回転自在に保持された第１の支軸５を回転中心としてバランス装置から上向き付勢力を与えられるアーム２を、本明細書では第１アームといい、その第１アームの回転の際の扉体４の支持を補助し、かつ、扉体の上昇時の扉体先端の移動軌跡を制御する機能をも有するアーム３を本明細書では第２アームという。
また、第１アーム２の基端部を固着する第１の支軸５を以下には固定支軸といい、第２アーム３の基端部を固着する第２の支軸６を以下には可動支軸という。
【００１７】
そして、本発明においては、固定支軸５は支柱１の対向面から他の支柱方向に突出されていて、その突出端に第１アーム２の基端部を固着することができ、また、可動支軸６も支柱１の対向面から他の支柱方向に突出され、その突出端に第２アーム３の基端部が固着され、かつ、その可動支軸６の突出端に後述される電動ユニットＤＵの作動ロッド１０を着脱自在に結合することができる構造が備えられている。
【００１８】
図１（ａ）の手動式跳ね上げ式門扉Ａは、上述のように対向面に固定支軸５と可動支軸６とを突出させた状態の左右の支柱１を地面（ＧＬ）に所定間隔をもって立設し、扉体４の左右両端部の上部背面においてヒンジ８，９により先端部が結合された第１アーム２と第２アーム３の基端部を、固定支軸５及び可動支軸６の各支柱１の対向面から突出されている端部に固着又は枢着することにより、構成されている。そして、閉鎖位置Ｐｄに存する垂直状の扉体４に手を掛けて持上げ力を加えることにより、支柱１の上方に水平状になる開放位置Ｐｕまで跳ね上げ、また、扉体４に垂下されている引き下げ部材（不図示）を介して扉体に引き下げ力を加えることにより、閉鎖位置Ｐｄまで回転下降させることができるようになっている。
【００１９】
これに対し、図１（ｃ）の電動式跳ね上げ式門扉Ｂは、上述のように設置された手動式跳ね上げ式門扉Ａの左右の支柱１の対向面に、支柱１の対向面に突出されている可動支軸６よりも下側において、図１（ｂ）に例示された電動ユニットＤＵを取付け、その電動ユニットの上面に突出されている作動ロッド１０を、支柱１の対向面に突出されている可動支軸６の先端部に枢着して構成されている。
【００２０】
要約すると、手動式跳ね上げ式門扉Ａの左右の支柱１に電動ユニットＤＵを後付けにより取付け、その電動ユニットの作動ロッド１０を可動支軸６の先端部に枢着するだけで、電動式跳ね上げ式門扉Ｂとすることができる。
【００２１】
続いて、上述された概要の詳細を一具体例について、図２以下の図面に基づいて説明する。
支柱１は、中空に形成され、その頂部はキャップ１ａにより閉塞されている。支柱１の中には、図３に示すように、フレーム１３にバランス装置１９とリンク機構Ｌとを取付けた内部ユニットＵが収容されて固定されている。
フレーム１３は、水平断面形状が角型Ｃ字形の前後（図３においては左右方向）に隔てた一対の縦材１３１，１３２を上下の横材１３３，１３４により結合して構成されている。フレーム１３の上部には縦長の案内孔１４を有する案内部材１５が左右両側（図３においては紙面に垂直な方向に隔てた位置）に固定され、その両案内溝１４にそれぞれガイドリング１６が昇降可能に嵌合され、そのガイドリング１６に可動支軸６が遊挿されて、可動支軸６は案内孔１４の長手方向に円滑に移動可能とされている。
【００２２】
縦材１３１，１３２の上端部には、矩形の取付板（図示省略）が固定され、その取付板に固定支軸５が定点で回転自在に取付けられている。また、その取付板の案内溝１４の下端部よりも若干高い位置で、かつ、固定支軸５の下方において固定された支軸１７に、リンク機構Ｌを構成する初端のリンク、すなわち、第１リンクＬ１の一端が固着され、第１リンクの他端は可動支軸６に一端が枢着された第２リンクＬ２の他端に枢着されている。また、可動支軸６には第３リンクＬ３の一端部が枢着され、その第３リンクの他端部は、固定支軸５に一端部を固着された第４リンク、すなわち終端リンクＬ４の他端部に固着されている。
【００２３】
そして、第１リンクＬ１と第２リンクＬ２の枢着点１８には、バランス装置１９を構成するロッド１９１の上端部が枢着されている。バランス装置１９は、支柱１内を上下方向に延びるロッド１９１と、このロッドに巻装されたコイルバネ１９５と、ロッド１９１に固着され、コイルバネの上限を規制する上部ストッパ１９６と、ロッド１９１の下端部を摺動自在に貫通させ、かつ、支持部材１９４に保持されて、コイルバネの下限を規制する下部ストッパ１９７とから構成されている。支持部材１９４は、ロッド１９１の下端部を遊挿させる穴を有しており、下部横材１３４に垂下されたボルト１９２及び支持部材１９４の下面においてボルト１９２に螺合されたナット１９３により、高さ調整可能に支持されている。  ロッド１９１の上端部が第１リンクＬ１と第２リンクＬ２の枢着点１８に結合された状態で、上下のストッパ１９６，１９７の間で圧縮されたコイルバネ１９５が枢着点１８に所要の大きさの上向き付勢力を与えることができる。また、ナット１９３のボルト１９２に対する締付け位置を変えることにより、コイルバネ１９５が枢着点１８に与える付勢力の大きさを調整することができるようになっている。
【００２４】
こうして、リンク機構Ｌは、バランス装置１９の上向き付勢力を二つのアーム２，３に伝動する作用を果たす。すなわち、バランス装置１９の上向き付勢力が第１リンクＬ１と第２リンクＬ２の枢着点１８を介して可動支軸６に伝動され、かつ、第２リンクＬ２、第３リンクＬ３及び第４リンクＬ４を介して固定支軸５に伝動されるようになっている。
しかし、他の実施例として、バランス装置のロッド１９１の上端部は、第１リンクＬ１の第２リンクの枢着点１８ではなく、可動支軸６に枢着しても良い。また、リンク機構を可動支軸６に連結しない構成としても良い。
【００２５】
支柱１の上端部の対向面には、長さが異なる前後二つの短冊状の切欠１１，１２が設けられている。また、可動支軸６及び固定支軸５は、所要の長さに延長されている。内部ユニットＵを支柱１に取付ける時は、支軸５，６、リンク機構Ｌ及びバランス装置１９を取付けた内部ユニットＵを支柱１の中に挿入し、その際、案内部材１５の案内孔１４を支柱１の切欠１２から外側に望ませ、固定支軸５及び可動支軸６の延長された部分を支柱１の切欠１１，１２から外側に突出させて、フレーム１３を支柱１の所定高さに固定する。取付けた状態では、内部ユニットＵの大部分は支柱内に収容されて隠蔽され、ただ、固定支軸５及び可動支軸６の突出端のみが支柱１の対向面に突出されている。
【００２６】
図２において、第１アーム２及び第２アーム３の先端部を扉体４の左右両端部背面に枢着するためのヒンジ８，９は、一例として、平面形状が角Ｃ字形をなし、その背面を扉体４の左右両端部背面に当接してネジ止めなどにより固定されるブラケット２０と、各アーム２，３の先端部に取付けられた軸受部２ａ，３ａと、そのブラケットと軸受部に貫通されるピン２ｂ，３ｂとから構成されている。バランス装置１９のコイルバネ１９５のリンク機構Ｌに与える上方回転モーメントは、支軸５，６によりそれぞれ軸支されたアーム２，３及び扉体４の荷重による下方回転モーメントを一例として９０％程度減殺する大きさに設定されている。
用いられる扉体４の重量に応じて、ナット１９３の締付け位置を変えることにより、バランス装置１９の上向き回転モーメントを調整することができることは、上述した通りである。
図２における２１は、そのバランス装置１９の回転モーメント調整のために支柱１の対向面に設けられた穴であり、その穴２１は通常は蓋２２で閉塞されている。
【００２７】
また、図２において、２３は扉体４の背面（敷地内側）の下部に設けられたフックであり、このフック２３には、地面に固定具２４により一端部が固定されたチェーンその他の係留部材２５の他端部を着脱自在に係止して、門扉が敷地外側から不要に開放されることを防止することができる。
【００２８】
可動支軸６の先端には、本発明の特徴の一つとして、後述される電動ユニットＤＵの作動ロッド１０の端部を着脱自在に結合するための構造が設けられている。この構造は、例えば、可動支軸６の先端に軸部と、その軸部の先端に雄ねじ部を形成してなっている。手動式跳ね上げ式門扉として用いる場合は、その雄ねじ部に、可動支軸の突出端による怪我の防止のために袋ナット等の保護キャップを装着することが望ましい。
【００２９】
図５及び図６は、本発明により構成された手動式跳ね上げ式門扉の正面図及び平面図を示す。手動式跳ね上げ式門扉においては、扉体の下辺のほぼ中央部に、扉体の開閉時に手を掛ける引き手２６が設けられている。
そして、係留部材２５をフック２３から外し、引き手２６を介して扉体４に持ち上げ力を加えると、バランス装置１９の作用により比較的小さな力で扉体４を上方に移動させることができる。その際、リンク機構Ｌを介してバランス装置１９の上向きの付勢力を常時受けている可動支軸６は、ガイドリング１６により案内溝１４に沿って上方に移動される結果、第２アーム３の基端部が上方に押し上げられると同時に、リンク機構Ｌを介して固定支軸５が図２において時計方向の回転力を与えられるため、これに固着されている第１アーム２は、固定支軸５を中心に第１アーム２を半径として上方に回転される。
【００３０】
支柱１に形成された切欠１１は、その中を門扉の開閉移動とともに可動支軸６が昇降するので、その可動支軸６の移動と連動して切欠１１を開閉するシャッター（図示省略）が設けてある。また、切欠１２は、内部ユニットＵを支柱内に固定した後、塞ぎ部材（図示省略）により閉じられている。なお、可動支軸６を案内する案内孔１４は、その形状により扉体４の上昇運動の軌跡を規定するので、扉体の下端部がある高さまでは垂直線に沿って上昇し、敷地外側に回動しないように、形状が設計されている。図２，３はその単なる一例を示すに過ぎない。
【００３１】
上記構成の本発明の跳ね上げ式門扉を用いて電動式跳ね上げ式門扉を構成する場合は、可動支軸６の突出端に装着されている保護キャップを取り外すとともに、図７に示すように、一方の支柱１の対向面に可動支軸６の下側において電動ユニットＤＵを外付けし、その電動ユニットの上面に突出されている作動ロッド１０の上端部に設けてある穴１０ａに可動支軸６を回転可能に挿通し、その作動ロッド１０が可動支軸６から抜脱しないように固定する。
電動ユニットＤＵは、筐体２７の中にモータ、ギヤモータ等の周知の動力源  （不図示）と、その動力源の回転運動を直線運動に変換する周知の運動変換機構（不図示）とを有するものであり、作動ロッド１０は、その直線運動又は揺動運動により可動支軸６の先端部に上下方向の力を与えるように枢着されている。
【００３２】
電動ユニットＤＵの筐体２７は、一例として、支柱１の対向面側から正面側まで屈曲されて平面Ｌ字形に形成されており、支柱１の対向面側部分には、電動ユニットを門扉開放方向又は閉鎖方向に駆動させるための、筐体２７に内蔵された制御回路（不図示）に接続された操作部２８が設けられている。その操作部２８のスイッチの手動による直接操作に代えて遠隔操作をする場合、又は直接操作と遠隔操作を併用する場合は、操作部２８に代えて、又は操作部のほかに、筐体の正面側部分に受信アンテナ２９を有する無線通信部が設けられ、これが制御回路に接続される。遠隔操作を用いる場合は、この受信アンテナ２９に制御信号を送る既知のリモートコントローラ（不図示）が使用される。
【００３３】
図９及び図１０は、本発明により構成された電動式跳ね上げ式門扉の正面図及び平面図を示す。なお、電動式跳ね上げ式門扉の場合は、扉体４に手動式跳ね上げ式門扉における引き手２６を設ける必要がない。
【００３４】
上述のように、本発明によれば、電動式跳ね上げ式門扉は手動式跳ね上げ式門扉と電動ユニットを除き、ほぼ全ての構成要素が共通であり、可動支軸に僅かな手数を掛け、電動ユニットを後付けにより取付けるだけで、電動式跳ね上げ式門扉とすることができる。従って、跳ね上げ式門扉を設置する場合に、それが手動式跳ね上げ式門扉と電動式跳ね上げ式門扉のいずれであるかを問わず、最小限の構成部材を製造し、管理すれば良いので、製造コストが低減し、管理保管コストも著しく削減できる。
【００３５】
図９及び図１０は、扉体の幅が比較的小さな門扉、すなわち、小型の電動式跳ね上げ式門扉の場合の電動ユニットの取付け態様を示しているが、幅が大きい門扉を用いる大型の電動式跳ね上げ式門扉の場合は、第２発明によれば、図１１及び図１２に示すように、小型の門扉の場合に一方の支柱に取付けた電動ユニットＤＵと同じパワーの電動ユニットを左右の支柱１の対向面にそれぞれ取付け、上述の場合と同様に、それぞれの電動ユニットＤＵ１，ＤＵ２の作動ロッド１０の端部をそれぞれの支柱１の可動支軸６の突出端部に枢着している。
【００３６】
そして、一方の電動ユニット（ＤＵ１）を、操作部及び／又は無線通信部を備えた制御側とし、他方の電動ユニットＤＵ２を従動側として、制御側の電動ユニットＤＵ１から従動側の電動ユニットＤＵ２の制御回路に制御信号を一方の支柱内から地中を経て他方の支柱内まで配線された信号線を介して与えるようにしてある。制御側の電動ユニットＤＵ１から従動側の電動ユニットＤＵ２の制御回路に制御信号を与えるには、上記有線式に代えて、制御側の電動ユニットＤＵ１に設けた無線送信アンテナから従動側の電動ユニットＤＵ２に設けた無線受信アンテナに送信するようにしても良い。
【００３７】
このように大型の電動式跳ね上げ式門扉の場合に、小型の電動式跳ね上げ式門扉の場合に用いる電動ユニットと同じパワーの電動ユニットを用いるので、設置される門扉が小型か大型かを問わず、１種類の電動ユニットを用意するだけで良い。従って、電動ユニットの管理に手間が掛からない。
【００３８】
【発明の効果】
上述のように、請求項１の発明によれば、第２の支軸の突出端に支柱の外面に取付けられる電動ユニットの作動ロッドを枢着するための構造を備えたので、手動式跳ね上げ式門扉の支柱に電動ユニットを外付け（後付け）し、第２の支軸の突出端に電動ユニットの作動ロッドを枢着するだけで、簡単に手動式跳ね上げ式門扉から電動式跳ね上げ式門扉に換えることができる。すなわち、手動式と電動式のいずれを設置するかに関して苦慮する必要がなく、手動式を後で容易に電動化することもできる。また、メンテナンス時は、外付けであるので電動ユニットのみを容易に取外して行なうことができる、手動式、電動式のいずれであるかを問わず、最小限の構成部材を製造し、管理すれば良いので、製造コスト、管理保管コストを著しく削減できるなどの効果が得られる。
【００３９】
また、請求項２の発明によれば、大型の電動式跳ね上げ式門扉の場合は、小型の電動式跳ね上げ式門扉の場合に用いるのと同一パワーの電動ユニットを左右の支柱に取付けて各電動ユニットの作動ロッドをそれぞれの支柱の案内溝から支柱の対向面側に突出された支軸に枢着するとともに、一方の電動ユニットの直接操作又は遠隔操作により与えられる制御信号を他方の電動ユニットに有線又は無線で与えるようにしたので、設置される門扉が大型か小型かを問わず、１種類の電動ユニットを用意するだけで良い。従って、電動ユニットの管理に手間が掛からない。
【図面の簡単な説明】
【図１】第１発明の基本的構成及びその作用を示す説明図。
【図２】第１発明を用いて構成された手動式跳ね上げ式門扉の扉体の幅方向中央における縦断面図。
【図３】図２の支柱の内部構造を示す断面図。
【図４】図２のＸ−Ｘ線に沿った断面図。
【図５】図２の手動式跳ね上げ式門扉の正面図。
【図６】同じく平面図。
【図７】第１発明を用いて構成された電動式跳ね上げ式門扉の扉体の幅方向中央における縦断面図。
【図８】図７のＹ−Ｙ線に沿った断面図。
【図９】図７の電動式跳ね上げ式門扉の正面図。
【図１０】同じく平面図。
【図１１】第２発明を用いて構成された大型の電動式跳ね上げ式門扉の平面図。
【図１２】同じく正面図。
【符号の説明】
Ａ    手動式跳ね上げ式門扉
Ｂ    電動式跳ね上げ式門扉
ＤＵ  電動ユニット
１    支柱
２    第１アーム
３    第２アーム
４    扉体
５    第１の支軸（固定支軸）
６    第２の支軸（可動支軸）
７    案内溝
Ｌ    リンク機構
１９  バランス装置
１９１  ロッド
１９５  コイルバネ
１９６，１９７  ストッパ
【図１】
0003576940.tif 000002
【図２】
0003576940.tif 000003
【図３】
0003576940.tif 000004
【図４】
0003576940.tif 000005
【図５】
0003576940.tif 000006
【図６】
0003576940.tif 000007
【図７】
0003576940.tif 000008
【図８】
0003576940.tif 000009
【図９】
0003576940.tif 000010
【図１０】
0003576940.tif 000011
【図１１】
0003576940.tif 000012
【図１２】
0003576940.tif 000013